(57)【要約】【課題】要介護者の介助にあたって、その昇降、移動を極めて容易、簡単な作業で行うことができるとともに、要介護者を安全に移動できる介助方法を提供すること。【解決手段】移動子５０を含む支承杆２０と、支承杆２０を昇降する昇降支持脚１０とを備える移動介助装置１００を、一のベッド１及び他のベッド２のそれぞれに設ける工程、移動子５０に吊上げ綿布３０を介して一のベッド１のマット３を連結する工程、昇降支持脚１０により対応する支承杆２０を昇降する工程、一のベッド１の支承杆２０と他のベッド２の支承杆２０とを、該支承杆相互を連結する連結杆６０を介して連結する工程、を有する。【選択図】図４
2006212149.tif 000002
【特許請求の範囲】
【請求項１】
要介護者の介助を行う方法であって、
移動子を含む支承杆と、該支承杆を昇降する昇降支持脚とを備える介助装置を、一のベッド及び他のベッドのそれぞれに設ける工程、
前記移動子に吊上げ綿布を介して前記一のベッドのマットを連結する工程、
前記昇降支持脚により対応する前記支承杆を昇降する工程、
前記一のベッドの支承杆と前記他のベッドの支承杆とを、該支承杆相互を連結する連結杆を介して連結する工程、
を有することを特徴とする介助方法。
【請求項２】
ベッドの上方に要介護者を吊上げる介助装置であって、
前記ベッドの上方に配設される支承杆と、該支承杆を昇降する昇降支持脚とを備えていることを特徴とする介助装置。
【請求項３】
支承杆は、ベッドの長手方向に移動する移動子を含み、該支承杆に、他のベッドに設けられる支承杆に連結する連結杆を設けたことを特徴とする請求項２記載の介助装置。
【請求項４】
ベッドの短辺方向における昇降支持脚の間隔を調整する間隔調整装置を備えていることを特徴とする請求項２又は３に記載の介助装置。
【発明の詳細な説明】
【技術分野】
【０００１】
本発明は、身体の自由がきかない高齢者や病人等の要介護者の、例えば入浴のために病室のベッドから入浴場まで運び、運んだ要介護者を浴槽内に入れ、入浴の済んだ要介護者を浴槽内から再び病室のベッドまで運ぶ場合のように、要介護者をベッドから別の場所に移動させる場合、又はシーツ若しくはおむつ（おしめ）などを取替えるときに要介護者又はその臀部を一時的に持ち上げる場合にも使用される介助方法及びその装置に関する。
【背景技術】
【０００２】
病院において、要介護者を例えば入浴のために病室のベッドから入浴場まで運ぶ場合には、車椅子、車台等の運搬用具を用い、この運搬用具に介護者が要介護者を抱き上げて移し、入浴場まで運び、運んだ要介護者を浴槽に入れて入浴させ、入浴の済んだ要介護者を前記運搬用具を用いて浴槽内から病室まで運び、抱き上げて再び病室のベッドまで移している。
【０００３】
また、病院においてシーツ交換は、少なくとも週１回は行われ、要介護者によっては毎日交換が必要な場合がある。また、要介護者のおむつなどを取替えるときには、介護者が要介護者の臀部を一時的に持ち上げながら、汚れたおむつを取外しし、汚れたお尻を拭いて新しいおむつを取付けている。
【０００４】
このような、介護者の大変な労力と負担を軽減すべく、要介護者を所望の場所まで移動させたり、持ち上げたりすることができ、介護者の負担の軽減を図ることのできる介護用省力装置が種々提案されている。特許文献１に記載されたものはその１例である。
【０００５】
従来の介護用省力装置は、ベッドの基台を、固定基台と昇降自在な可動基台とにより構成されており、使用時に、要介護者を固定基台へ移し、ついで、上記可動基台を昇降装置により下降させ、移動装置により、移動板を上記可動基台のあった位置に移し、要介護者をその上に移し、しかる後、この要介護者が横たわる移動板を任意な場所へ平行移動させるようにしていた。
【特許文献１】特開平８−１５４９８０号公報（図８，図９）
【発明の開示】
【発明が解決しようとする課題】
【０００６】
しかしながら、この介護用省力装置においては、要介護者が横たわる移動板をベッドの下方から支えつつ、その移動板を昇降及び平行移動させる構成となっているので、該機構は複雑とならざるを得ず、従って該装置のコストが高いという問題点があった。
【０００７】
また、かかる装置においては、昇降及び移動にかかる作業工程が多い。先ず、要介護者を固定基台に横向けにして移してから、次に可動基台を昇降装置により下降させ、再度、被介護者を移動板に移して該移動台を浴槽の位置に移動し、さらにスライド自在な仕切板を側面に取付けなければならない。このため、その作業は煩雑であり、昇降、移動の操作が難易であるという問題点があった。
【０００８】
さらに、基台の特に左右両側には仕切のような安全手段がないので、可動基台の移動中に要介護者を落下させる危険性があると共に、要介護者を可動基台と固定基台との間で移し替えるとき、要介護者を一時上げたり支える等の配慮が必要であり、しかも、要介護者を傷つけるおそれもある。
【０００９】
そこで、本発明は以上のような問題点に鑑みてなされたものであり、その目的は、要介護者の介助にあたって、その昇降、移動を極めて容易、簡単な作業で行うことができるとともに、要介護者を安全に移動できる介助方法及びその装置、またコストが低く抑えられた介助装置、さらにシーツ交換やおむつ交換にも利用することができる介助装置を提供することである。
【課題を解決するための手段】
【００１０】
請求項１記載の介助方法は、要介護者の介助を行う方法であって、移動子を含む支承杆と、該支承杆を昇降する昇降支持脚とを備える介助装置を、一のベッド及び他のベッドのそれぞれに設ける工程、前記移動子に吊上げ綿布を介して前記一のベッドのマットを連結する工程、前記昇降支持脚により対応する前記支承杆を昇降する工程、前記一のベッドの支承杆と前記他のベッドの支承杆とを、該支承杆相互を連結する連結杆を介して連結する工程、を有するところに特徴を有する。
【００１１】
請求項２記載の介助装置は、ベッドの上方に要介護者を吊上げる介助装置であって、前記ベッドの上方に配設される支承杆と、該支承杆を昇降する昇降支持脚とを備えているところに特徴を有する。
【００１２】
請求項３記載の介助装置は、請求項２記載の介助装置において、支承杆は、ベッドの長手方向に移動する移動子を含み、該支承杆に、他のベッドに設けられる支承杆に連結する連結杆を設けたところに特徴を有する。
【００１３】
請求項４記載の介助装置は、請求項２又は３に記載の介助装置において、ベッドの短辺方向における昇降支持脚の間隔を調整する間隔調整装置を備えているところに特徴を有する。
【発明の効果】
【００１４】
請求項１記載の介助方法によれば、要介護者の介助を行う方法であって、移動子を含む支承杆と、該支承杆を昇降する昇降支持脚とを備える介助装置を、一のベッド及び他のベッドのそれぞれに設ける工程、前記移動子に吊上げ綿布を介して前記一のベッドのマットを連結する工程、前記昇降支持脚により対応する前記支承杆を昇降する工程、前記一のベッドの支承杆と前記他のベッドの支承杆とを、該支承杆相互を連結する連結杆を介して連結する工程、を有するので、要介護者の介助にあたって、前記支承杆に要介護者を吊り該支承杆に即して、その昇降、移動を極めて容易、簡単作業で行うことができ、かつ、要介護者を安全に移動できるという効果を奏する。
【００１５】
請求項２記載の介助装置は、ベッドの上方に要介護者を吊上げる介助装置であって、前記ベッドの上方に配設される支承杆と、該支承杆を昇降する昇降支持脚とを備えているので、支承杆に要介護者を吊ることができ、その機構は複雑ではなく、従って該装置のコストが低いという効果を奏する。
【００１６】
請求項３記載の介助装置は、請求項２記載に介助装置の奏する効果に加えて、支承杆は、ベッドの長手方向に移動する移動子を含み、該支承杆に、他のベッドに設けられる支承杆に連結する連結杆を設けたので、本願請求項１記載の発明に係る介助方法に使用するのに好適であり、シーツ交換又はおむつ交換にも利用することができるという効果を奏する。
【００１７】
請求項４記載の介助装置は、請求項２又は３に記載の介助装置の奏する効果に加えて、ベッドの短辺方向における昇降支持脚の間隔を調整する間隔調整装置を備えているので、ベッドに設けられる昇降支持脚の間隔を調整することができ、一のベッドと他のベッドにそれらの短手方向の長さの違いがある場合にも移動介助することができるという効果を奏する。
【発明を実施するための最良の形態】
【００１８】
以下、本発明を実施するための最良の形態を図面を用いて説明するが、本発明の趣旨を越えない限り何ら以下の例に限定されるものではない。図１は本発明の介助装置の一実施例を示す斜視図である。
【００１９】
図１に示す介助装置１００は、要介護者をベッド１から別の場所に移動する場合に使用される装置である。また、介助装置１００は、シーツや要介護者のおむつなどを取替えるときに、要介護者又はその臀部を一時的に持ち上げる場合にも使用される。
【００２０】
（実施例１）
介助装置１００は、ベッド１に設けられて使用されるものであり、昇降支持脚１０，…，１０と、支承杆２０，２０と、吊上げ綿布３０，…，３０と、引掛具４０と、移動子５０，…，５０と、連結杆６０とを備えている。なお、介助装置１００は、昇降支持脚１０、支承杆２０等がそれぞれ別体に構成してあり、例えばベッド１への取外しが可能である。
【００２１】
昇降支持脚１０は、自動車のジャッキと同原理の昇降機１１を備えた支持脚である。昇降支持脚１０は、４本から構成され、ベッド１の略四隅に固定して設けられる。昇降支持脚１０は、昇降機１１を操作するハンドル１２を備えている。
【００２２】
支承杆２０，２０は、両端が開口し、移動子５０がその内部を移動するいわゆるレールとして使用されるものである。支承杆２０は、２本から構成され、それらが所定間隔を存するようにベッド１の長手方向の左右両側に配設される。各支承杆２０は、昇降支持脚１０，１０に縦架設する固定ステイ２１を設け、固定ステイ２１の支柱２２に設けられる。
【００２３】
吊上げ綿布３０は、引掛具４０と共に用いられ、支承杆２０の移動子５０とマット３とを連結する媒体となるものである。その一端が引掛具４０に係止されてマット３へ連結され、他端が支承杆２０の移動子５０に後述するフック５３を介して連結される。吊上げ綿布３０は、複数用いられ、適宜、複数の移動子５０とマット３の両側とを連結する。なお、吊上げ綿布３０は防水性の高いものが好ましく、各種の形状、長さのものが挙げられる。
【００２４】
引掛具４０は、鍵状の引き金の付いた引掛具、いわゆるフックである。
【００２５】
さらに、吊上げ綿布３０及び引掛具４０を介してマット３を吊下げたときの支承杆２０の強度補強のため、固定ステイ２１と支承杆２０との上下間に、適宜、固定ステイ２１上を長手方向に移動可能な移動ステイ２３を設けてある。
【００２６】
なお、支承杆２０の長手方向の両端には、移動子５０のストッパーを兼ねるキャップを設けても良い。
【００２７】
図２は、介助装置１００の主要部を示す図である。支承杆２０は、図２に示すように、内部が中空状に形成してあり、下方に開口する切溝２０ａがその長手方向にわたって形成してある。支承杆２０の内部には移動子５０が設けられる。
【００２８】
移動子５０は、支承杆２０の切溝２０ａを挟んで配設される２個のローラ５１，５１を備え、ローラ５１，５１が、切溝２０ａに案内されて転動し切溝２０ａに即して支承杆２０の長手方向に走行するようにしてある。移動子５０は、支承杆２０に複数設けられる。
【００２９】
また、ローラ４１，４１は、切溝２０ａを挟んで連結され、その連結部位に吊持布５２が垂下するように取付けられて、吊持布５２にフック５３が吊設される。また、ローラ４１，４１の回転外周面には、ゴムが形成してあり、転動の際の振動を抑止するようにしてある。
【００３０】
連結杆６０は、支承杆２０より小径で移動子５０を内部に収納可能に形成してある。連結杆６０は、不使用時に支承杆２０の内部に収納され、使用時に支承杆２０の内部から外部に水平方向に延ばすことができるように構成される。なお、連結杆６０は、支承杆２０と同様、中空状で切溝６０ａを有し、切溝６０ａに案内されて、連結杆６０の長手方向に転動するようにしてある。
【００３１】
図３は、介助装置１００をベッド１の頭側から見たところを示す図である。昇降支持脚１０は、ハンドル１２を回すことにより、昇降支持脚１０自体の高さが可変し、昇降支持脚１０の上方に設けられる支承杆２０を昇降する。これにより、介助装置１００は、支承杆２０を昇降することにより、ベッド１上の要介護者をマット３ごと昇降するのである。
【００３２】
次に、上記実施例の構成に基づく使用方法について、以下説明する。例えば、要介護者を入浴場へ移動する場合について、図４を参照して説明する。図４は、２つのベッド間を介助装置１００を用いて移動する状態を側面から見たところを示す図である。
【００３３】
先ず、ベッド１の四隅に昇降支持脚１０，…，１０を固定する。ベッド１の頭側及び脚側の昇降支持脚１０，１０の上端に固定ステイ２１を縦架設し、固定ステイ２１の支柱２２に支承杆２０を設け、支承杆２０，２０をベッド１の長手方向の両側に並べて配設する。
【００３４】
次に、車輪２ａ付きの移動ベッド２を、要介護者のベッド１の傍に移動してベッド１に縦列して停止する。このとき、移動ベッド２の車輪２ａが回らないように固定する。さらに、ベッド１と同様にして、移動ベッド２に昇降支持脚１０，…，１０及び支承杆２０，２０を設ける。
【００３５】
ベッド１に入浴用マット３を引く。ベッド１に要介護者が寝ている場合には、要介護者の全体身に左右いずれかの方面から入浴用マット３を引く。なお、入浴用マット３は、防水性の高いマットを使用する。
【００３６】
続いて、入浴用マット３を吊上げるために、ベッド１の両側の支承杆２０，２０の各移動子５０と入浴用マット３とを連結する。即ち、支承杆２０の各移動子５０のフック５３に、適宜に吊上げ綿布３０の上方を係止して吊設し、吊上げ綿布３０の下方に、引掛金４０を取付ける。
【００３７】
要介護者のベッド１からの移動にあたっては、ベッド１に取付けてある昇降支持脚１０のハンドル１２を操作して支承杆２０を上方へ移動させ、要介護者を入浴用マット３ごと体全体を浮かせる。なお、持ち上げる高さは１５ｃｍくらいで良い。
【００３８】
同様にして、移動ベッド２の支承杆２０を昇降させ、この支承杆２０の高さをベッド１の支承杆２０の高さに合わせる。ついで、連結杆６０を支承杆２０から水平方向に伸ばして、ベッド１の支承杆２０と移動ベッド２の支承杆２０とを、連結杆６０を介して連結する。
【００３９】
ここで、要介護者の体は浮いている状態なので、介護者が吊上げ綿布３０を移動ベッド２側へ押す又はスライドさせることにより、マット３は移動ベッド２方向へ移動する。これにより、要介護者は、支承杆２０及び移動子５０により、容易かつスムーズに移動ベッド２に移動される。
【００４０】
移動後、連結杆６０の連結を解除し、移動ベッド２の昇降支持脚１０を操作して支承杆２０を下降させる。要介護者を移動ベッド２上に寝かせ、入浴場まで運ぶ。運んだ要介護者を浴槽内に入れ、入浴中の要介護者を隅々まで洗うため、ウオッシング中は吊上げ綿布３０を外す。
【００４１】
入浴後は新たな吊上げ綿布３０、入浴用マット３を用意し、これらの取替え、マット全体の水切りを行う。移動ベッド２から病室のベッド１への移動は、上記と逆の操作をすれば良い。なお、移動ベッド２自体が上下動可能にしてあるとさらに良い。
【００４２】
以上より、上述した介助方法によれば、要介護者の介助にあたって、支承杆２０に要介護者を吊り、その昇降、及び支承杆２０に即して移動を行うことができ、極めて容易、簡単作業で行うことができる。
【００４３】
しかも、この介助方法によれば、要介護者の両側に適宜に吊上げ綿布３０が設けられており、要介護者をマット３ごと吊上げてその移動が可能であるので、安全に移動できる。
【００４４】
介助装置１００によれば、支承杆２０と、昇降支持脚１０とを備えているので、支承杆２０に要介護者を吊ることができ、その機構は複雑ではなく、従って該装置のコストが低い。
【００４５】
また、介助装置１００は、昇降支持脚１０、支承杆２０等がそれぞれ別体に構成してあるので、ベッド１への取付け、取外しが容易にできる。
【００４６】
さらに、介助装置１００は、ベッド１の長手方向に移動する移動子５０を含む支承杆２０と、支承杆２０を昇降する昇降支持脚１０とを備えており、支承杆２０に、移動ベッド２に設けられる支承杆２０に連結する連結杆６０を設けてあるので、上述した方法に使用するのに好適である。
【００４７】
しかも、介助装置１００によれば、要介護者をベッド１の上方に吊上げることができるので、シーツ交換に利用することもでき、シーツ交換をも容易に行うことができる。さらに、おむつ交換にも利用することができる。おむつ交換の最良の形態については、実施例３にて後述する。
【００４８】
介助装置１００は、支承杆２０，２０をベッド１の長手方向の左右両側に配設し、要介護者が寝ているマット３の左右両側を吊持して吊上げるようにしてあるので、支承杆２０に係る要介護者の吊上げ重量の軽減を図ることができる。しかも、安全に介助及び移動できる。また、移動ステイ２３を設けてあるので、さらに重量の軽減を図ることが可能である。
【００４９】
両側に設けた支承杆２０，２０を用い、複数の吊上げ綿布３０及び引掛具４０を介し多点で、要介護者を吊上げるので、例えば一つの引掛具４０一点で吊り吊上げた場合と比して、要介護者の回転、ぐらつきを防止することができる。
【００５０】
また、要介護者の移動は、ベッド１の頭側から脚側へ、あるいは脚側から頭側へ、移動子５０の転動に伴って移動するので、進行方向が救急隊のタンカー移動と同様であり、要介護者の不安を和らげ、親切な移動方法となっている。
【００５１】
（実施例２）
次に、他の実施例について図５を参照して説明する。図５は、実施例２の介助装置２００を示す斜視図である。実施例２に係る介助装置２００は、実施例１の介助装置１００に、間隔調整装置７０を備えているものである。なお、図１と対応する部分に同一参照番号を付けて示す。
【００５２】
間隔調整装置７０は、図５に示すように、歯車を組合せた応用装置であるギア７１とハンドル７２とを備え、ベッド１の短辺方向に昇降支持脚１０の間隔を調整するものである。間隔調整装置７０には、ハンドル７２を回すことにより、ベッド１の頭側及び脚側の各昇降支持脚１０がベッド１の短手方向にスライド移動するように、ギヤ７１を構成してある。なお、間隔調整装置７０も、ベッド１に取外し可能にしてある。
【００５３】
一般に、ベッドは多種多様なものがあり、必ずしもベッド１，２の短手方向の長さが相等しくない場合もありうる。この場合、ベッド１の両側に配設される支承杆２０，２０の間隔（ベッド１の短手方向の間隔）と、移動ベッド２の支承杆２０，２０の間隔が異なることとなり、支承杆２０に沿った移動子５０の移動が困難となる。このため、支承杆２０，２０の間隔を可変することが必要となる。
【００５４】
そこで、実施例２に係る介助装置２００は、間隔調整装置７０を備えることにより、昇降支持脚１０，１０のベッド１の短手方向の間隔を調節して、昇降支持脚１０に設けるステイ２１、２３及び支承杆２０のベッド１の短手方向の間隔を調整できるようにしたものである。
【００５５】
即ち、間隔調整装置７０を設けることにより、支承杆２０のベッド１の短手方向の間隔を調整できるようにしたので、必ずしもベッド１，２の短手方向の長さが相等しくない場合の上述の不具合を解消できる。実施例１記載の介助方法に使用するのに最も好適である。
【００５６】
（実施例３）
次に、他の実施例について図６〜８を参照して説明する。図６は、おむつ交換用のマット４を示す図である。図７及び８は、マット４及び介助装置１００又は２００を用いて、おむつ交換をしている状態を示す図である。実施例３は、マット３の代わりにおむつ交換用のマット４を使用する。なお、図１と対応する部分に同一参照番号を付けて示す。
【００５７】
おむつ交換用のマット４は、図６、７に示すように、要介護者の腰部に相当する腰側の部分４ａの長さがベッド１の短手方向の長さと略同程度の長さに形成してあり、要介護者の臀部から両脚の付け根に相当する脚側の部分４ｂ，４ｃの長さがベッド１の短手方向の長さより短く形成してある。
【００５８】
また、脚側の部分４ｂ，４ｃの中間部分には、要介護者の股間に相当する部分に切り欠き４ｄが形成してある。また、マット４の両側縁部には、引掛具４０が係合可能な係合孔４ｅ，４ｆを有する。
【００５９】
係合孔４ｅ，４ｆは、マット４を吊上げ可能とすべくマット４の４箇所に設けてあり、吊上げた際に、要介護者の脚側が腰側より高く上がるように、脚側の部分４ｂ，４ｃ側の両側近辺に有する係合孔４ｆ，４ｆの間隔は、腰側の部分４ａ側の両側に有する係合孔４ｅ，４ｅの間隔より狭くなるように設けてある。
【００６０】
要介護者のおむつを取替える場合には、図７に示したように、実施例１で上述したようにして介助装置１００又は２００をベッド１に設け、マット４をベッド１と要介護者Ｐの臀部との間に引く。
【００６１】
ついで、図８に示すように、マット４の係合孔４ｅ，４ｆに吊上げ綿布３０の下方に設けた引掛具４０を係合し、吊上げ綿布３０を介してマット４を支承杆２０に吊るようにする。要介護者Ｐの臀部が若干持ち上がる程度まで支承杆２０を上昇してその高さで固定する。その後、介護者Ｎがおむつの取替えを行い、取替え後は支承杆２０，２０を下降する。
【００６２】
この間、介護者Ｎは要介護者Ｐの臀部を持ち上げる必要がなく、労力の軽減が図られる。さらに、マット４を用いれば、要介護者Ｐが常時使用しているベッド１で容易におむつ交換ができる。即ち、吊上げ綿布３０を適宜の位置にあてがい昇降支持脚１０にて体を浮かすことによりおむつ交換が容易にできる。
【００６３】
また、要介護者Ｐのおむつカバーを取外す場合、もし要介護者Ｐの臀部辺りに、じょくそう（いわゆる床ずれ）がみられる場合がある。特に仙骨にできやすく、陰部は化膿し膿が溜まっていることがある。このような場合、マット４を使用した上記方法を採用することは、患部との接触をさけるため、及び要介護者Ｐの苦痛を和らげるために有効である。
【００６４】
また、マット４を使用して要介護者Ｐの臀部を吊上げるため、要介護者Ｐの背中、頸部、頭部はベッド１に接触したまま、臀部及び脚部を浮かすことができるので、おむつ交換に使用するのに好適である。
【００６５】
以上、本発明の介助方法及びその装置についての最良の形態を、実施例に基づいて説明したが、本発明は上記実施例に記載した構成に限定されるものではなく、その趣旨を逸脱しない範囲において適宜その構成を変更することができる。
【００６６】
上記実施例においては、昇降支持脚をベッドの四隅に設けてあるが、何らこれに限定されるものではなく、例えば、昇降支持脚をベッドに有するステップに付けるように構成して良い。
【００６７】
また、装置をベッドのステップに取付けた状態で、例えば蝶番等を使用して、下方に下げることも可能である。
【００６８】
要介護者を移動させる場合支承杆を用いた方式の器具で十分移動は行えるが、場合によりベッドに、さらに設ける吊上げ器具を使用することにより要介護者の安全と不安が解消される。例として、車椅子等に移動させる場合等である。
【００６９】
ベッドの脚側に面した支承杆に取付けられている昇降支持脚の取外しができれば、入浴用ベッド側に付いている頭側のジャッキを取外し両ベッドを結合することにより支承杆が密着し、両先端部にステイで支えることにより要介護者の移動がスムーズになり、かつ安全にベッド移動、車椅子への移動等もできる。
【００７０】
なお、ベッドから車椅子への移動時には要介護者の体型に応じた吊上げ綿布を使用すると良い。
【００７１】
吊上げ綿布は、長さ又は形状の異なるものを使用することができ、適宜、使い分けることができることはいうまでもない。また、吊上げ綿布を介さずに支承杆の移動子とマットを連結するようにしても良い。
【００７２】
また、昇降支持脚のハンドル、間隔調整装置のハンドルは、ラチェット（爪車）を備えた機構であっても良い。また、間隔調整装置と昇降支持脚とを別体に構成し、取外し可能にしても良い。さらに、振動子のローラはベアリングを備えたものであっても良い。
【００７３】
連結杆は、上記実施例の支承杆の内部に収納されているものに限定されるものではなく、支承杆相互を連結するものであればよく、例えば介助装置とは別体に設けたものであって、支承杆に取付け可能に構成してあっても良い。
【産業上の利用可能性】
【００７４】
本発明の介助方法及びその装置は、要介護者の例えば入浴のために病室のベッドから入浴場まで運び、運んだ要介護者を浴槽内に入れ、入浴の済んだ要介護者を浴槽内から再び病室のベッドまで運ぶ場合のように、要介護者をベッドから別の場所に移動させる場合、又はシーツ交換若しくはおむつ（おしめ）などを取替えるときに要介護者又はその臀部を一時的に持ち上げる場合にも使用することができる。
【図面の簡単な説明】
【００７５】
【図１】本発明にかかる介助装置の一実施例を示す斜視図である。
【図２】介助装置の主要部を示す図１のＡ−Ａ’線における断面図である。
【図３】介助装置をベッドの頭側から見たところを示す図である。
【図４】ベッド間を介助装置を用いて移動する状態を側面から見たところを示す図である。
【図５】他の実施例の介助装置を示す斜視図である。
【図６】おむつ交換用のマットを示す図である。
【図７】要介護者の臀部を吊上げる前の状態を示す図である。
【図８】要介護者の臀部を吊上げおむつ交換をしている状態を示す図である。
【符号の説明】
【００７６】
１            ベッド
２            移動ベッド
３，４        マット
１０            昇降支持脚
２０            支承杆
３０            吊上げ綿布
４０            引掛具
５０            移動子
６０            連結杆
１００，２００  介助装置
【図１】
2006212149.tif 000003
【図２】
2006212149.tif 000004
【図３】
2006212149.tif 000005
【図４】
2006212149.tif 000006
【図５】
2006212149.tif 000007
【図６】
2006212149.tif 000008
【図７】
2006212149.tif 000009
【図８】
2006212149.tif 000010